(57)【特許請求の範囲】
【請求項１】
前部に押鍵時に押圧操作される押圧部と、
後部に前記押圧部を支持する支持部と、
前記押圧部と前記支持部との間に薄板片状の薄肉部とを設け、
押鍵時に前記薄肉部が撓むことによって前記支持部に対して前記押圧部を、押圧操作される方向に回動可能にした鍵盤装置において、
前記薄肉部を前記鍵の前側から後側に向けて幅を次第に狭くすることで断面積が次第に小さくなるように形成したことを特徴する鍵盤装置。
【発明の詳細な説明】
【０００１】
【発明の属する技術分野】
この発明は、電子ピアノなどの鍵盤楽器における鍵盤装置に関する。
【０００２】
【従来の技術】
従来、電子ピアノなどの電子鍵盤楽器においては、通常の押鍵後、更に鍵を押し込む力に応じ、音高や音色、音量などを変化させ、発音中の音に各種の効果を付加し、音の表現力を高めるアフタータッチ機能を有するものがある。
このような電子鍵盤楽器では、低コスト化を図るために、鍵の後部に薄肉部を設け、この薄肉部の後端部を鍵の配列方向に沿う連結部に連結し、この連結部によりそれぞれ薄肉部を介して複数の鍵を一体に形成したものが開発されている。図１２および図１３はその一例を示した図である。この電子鍵盤楽器は、楽器ケース内に一体的に組み込まれる合成樹脂製の鍵盤シャーシ１と、この鍵盤シャーシ１上に上下方向に回動可能に取り付けられた合成樹脂製の複数の鍵（白鍵と黒鍵、ただしこの従来例では白鍵について説明する。）２と、これら複数の鍵２にそれぞれ対応して配置され、押鍵時に各鍵２のスイッチ押圧部３により押圧される各２組のゴムスイッチ４と、押鍵時に各鍵２の押鍵力を検出するアフタータッチ用の感圧センサ５とを備えている。
【０００３】
複数の鍵２は、その後部（図１２では右側部）に薄肉部６がそれぞれ形成され、これら各薄肉部６の後端部が鍵２の配列方向に沿う共通の連結部７に並列に配置された状態で連結形成され、これにより、これらが一体に成形されている。これら複数の鍵２は、連結部７が鍵盤シャーシ１の後部上に鍵２の配列方向に沿って設けられた取付部８上に取り付けられ、押鍵時に薄肉部６をヒンジとして各鍵２が上下方向に回動するように鍵盤シャーシ１上に配置されている。
複数の鍵２にそれぞれ対応する２組のゴムスイッチ４は、鍵盤シャーシ１の中間部の下面に設けられた回路基板９上に配置され、鍵盤シャーシ１の開口部１ａを通して上方に突出している。すなわち、２組のゴムスイッチ４は、それぞれ弾性変形可能な膨出ゴム内に固定接点と可動接点が設けられ、各膨出ゴムの上端部が鍵２の内面に形成された２つのスイッチ押圧部３に当接し、各膨出ゴムの弾性復帰力によりスイッチ押圧部３を押し上げるように構成されている。
【０００４】
アフタータッチ用の感圧センサ５は、押鍵されて各ゴムスイッチ４がスイッチ押圧部３により押圧された後、更に鍵２が押し込まれる力（以下、押鍵力という）を検出するものであり、回路基板９の前側（図１２では左側）における鍵盤シャーシ１の上面に各鍵２の配列方向に沿って設けられている。
なお、鍵盤シャーシ１の中間部における下面には、フェルトなどの上限ストッパ１０が感圧センサ５の下方に対応して設けられている。この上限ストッパ１０は、各膨出ゴムの弾性復帰力および薄肉部６の弾性復帰力により鍵２が押し上げられることにより、鍵２に形成されたＬ字状のストッパ片１１が当接し、これにより鍵２を所定の上限位置（初期位置）に位置規制している。また、感圧センサ５の近傍における鍵盤シャーシ１上には、鍵２の横振れを防ぐ鍵ガイド１２が設けられている。さらに、鍵盤シャーシ１の前部（図１２では左側部）には、フェルトなどの保護用の下限ストッパ１３が設けられている。
【０００５】
このような電子鍵盤楽器では、押鍵しない状態のときには２組のゴムスイッチ４の各膨出ゴムの弾性復帰力および薄肉部６の弾性復帰力により鍵２が押し上げられ、鍵２のＬ字状のストッパ片１１が鍵盤シャーシ１の上限ストッパ１０に当接し、これにより鍵２が初期位置（上限位置）に位置規制されている。
この状態で、２組のゴムスイッチ４の弾性力および薄肉部６の弾性力に抗して鍵２を押鍵すると、鍵２の後部の薄肉部６をヒンジとして鍵２が下方に回動し、この鍵２の各スイッチ押圧部３がゴムスイッチ４の各膨出ゴムを弾性変形させて可動接点を固定接点に接触させ、これによりゴムスイッチ４がスイッチ信号を出力し、押鍵された鍵２に応じた音を発音する。この後、更に鍵２が押し込まれると、図１３に示すように、感圧センサ５が押圧され、その押圧力（鍵２の押し込み力）に応じて感圧センサ５が電気信号を出力する。この感圧センサ５からの電気信号に基づいて、音高や音色、音量などを変化させ、発音中の音に各種の効果を付加し、音の表現力を高めている。
【０００６】
【発明が解決しようとする課題】
しかしながら、このような電子鍵盤楽器では、通常の押鍵力を越える過大な押鍵荷重で繰り返し押鍵されると、ヒンジである薄肉部６に発生する応力により薄肉部６が疲労破壊してしまうという問題がある。
すなわち、通常の押鍵では、鍵２が感圧センサ５に当接するまでヒンジである薄肉部６が図１４に示すように撓む。この撓んだ状態での薄肉部６における最大曲げモーメントは薄肉部６の後端Ａに生じ、最大曲げ応力σAも薄肉部６の後端Ａに生じる。しかし、アフタータッチ機能を効かせるために、更に押鍵し続けると、ゴムスイッチ４や感圧センサ５、および連結部７に反力が生じ、これら反力と押鍵力、そしてこれらのモーメントにより、図１５に示すように薄肉部６が持ち上げられ、薄肉部６の後端Ａの曲げ応力σAのほかに、薄肉部６の前端Ｂにも曲げ応力σBが発生する。このため、通常の押鍵条件下（曲げ応力σA）での繰り返し疲労試験では、製品の想定回数を越えても疲労破壊は生じないが、アフタータッチ機能の押鍵条件下（曲げ応力σB）での繰り返し疲労試験では、想定回数以下で破壊していまう（図５参照）。
【０００７】
このような疲労破壊を回避するために、薄肉部６の肉厚を厚くして応力の低下を防ぐことが考えられるが、図１６に示すように、薄肉部６の肉厚ｔを均一に厚くすると、薄肉部６を撓ませる荷重が大きくなり、演奏しにくくなるという問題が生じる。
すなわち、薄肉部６はヒンジ（支点）としての機能を果たすと同時に押鍵時に指先への反力を付加する機能をも併せもっている。押鍵時の指先への反力（モーメント）は、図１７に示すように、２組のゴムスイッチ４の反力Ｇ１Ｐ、Ｇ２Ｐと薄肉部６の反力（ＨＰ）のモーメント値の和に等しい。演奏者が演奏し易い鍵タッチは、指先への反力と押鍵ストロークの関係で表すと、図１８（ａ）に示すように、押鍵直後に指先への反力が大となり、その後押鍵しても指先への反力はほとんど変化せず、押鍵終了まで一定となるのが理想（同図の太線カーブＣ１）である。しかし、応力の低下を防ぐために薄肉部６の肉厚ｔを図１６に示すように均一に厚くすると、図１８（ｂ）に示すように、薄肉部６の反力（ＨＰ）が押鍵するにつれて増大し、指先への反力が右上がりのカーブ（同図の太線カーブＣ２）となり、演奏しにくくなってしまう。
【０００８】
この発明の課題は、薄肉部の破壊強度を高めると同時に、指先への反力を理想的な状態に近づけて演奏し易くすることである。
【０００９】
【課題を解決するための手段】
この発明は、前部に押鍵時に押圧操作される押圧部と、後部に前記押圧部を支持する支持部と、前記押圧部と前記支持部との間に薄板片状の薄肉部とを設け、押鍵時に前記薄肉部が撓むことによって前記支持部に対して前記押圧部を、押圧操作される方向に回動可能にした鍵盤装置において、前記薄肉部を前記鍵の前側から後側に向けて幅を次第に狭くすることで断面積が次第に小さくなるように形成したことを特徴する。この発明によれば、薄肉部を鍵の前側から後側に向けて断面積が次第に小さくなるように形成したので、薄肉部における曲げモーメントの分布が薄肉部の前端から後端に向かって次第に小さくなる。このため、例えば、薄肉部の前端で疲労破壊しない曲げ応力（σc）を確保し、かつ曲げモーメントの分布を考慮して、薄肉部の前端から後端に向かって曲げ応力（σc）が一定になるように薄肉部の断面積を連続的に小さくすることにより、薄肉部の各部において一定の曲げ応力（σc）が確保でき、これにより薄肉部の破壊強度を高めることができる。また、薄肉部の撓みと薄肉部の荷重（以下、ヒンジ荷重という）との関係から、断面積が小さいほどヒンジ荷重が小さくてすむので、従来のように薄肉部の肉厚を均一に厚くした場合に比べてヒンジ荷重が下がり、疲労破壊しない曲げ応力（σc）とヒンジ荷重とのバランスをとることで、薄肉部の破壊強度を高めると同時に、指先への反力を理想的な状態に近づけて演奏し易くすることができる。
【００１０】
【発明の実施の形態】
以下、図１〜図５を参照して、この発明の鍵盤装置の一実施形態について説明する。なお、図１２〜図１８に示された従来例と同一部分には同一符号を付し、その説明は省略する。
図１は鍵盤装置における鍵の後部を示した拡大断面図、図２はその平面図である。この鍵盤装置の鍵２は、その後部に薄肉部２０が形成され、この薄肉部２０の後端部が鍵２の配列方向に沿う共通の連結部７に連結形成されている。なお、この鍵２は、従来例と同様、白鍵と黒鍵からなり、複数並列に配置された状態で、これらがそれぞれ薄肉部２０を介して連結部７により一体に形成されている。
【００１１】
この鍵２の薄肉部２０は、図１および図２に示すように、鍵２の前端Ｂから後端Ａに向けて、幅ｂが一定で、厚みが次第に薄くなるように形成され、これにより断面積が薄肉部２０の前端Ｂから後端Ａに向けて次第に小さくなるように構成されている。この場合、薄肉部２０は、底面がほぼ水平に形成され、上面の前端Ｂ側が高く後端Ａ側が低くなるように、上面が傾斜し、これにより前端Ｂの厚みｈBが厚く、後端Ａの厚みｈAが薄く形成されている。また、薄肉部２０の前端Ｂにおける上下の角部には、応力が集中しないように半径Ｒ１、Ｒ２の肉付けが施されており、同様に、薄肉部２０の後端Ａにおける上側の角部にも、半径Ｒ３の肉付けが施されている。これにより、薄肉部２０の屈曲領域Ｓは、傾斜した上面に対する半径Ｒ１、Ｒ２の肉付けの接点と半径Ｒ３の肉付けの接点との間に設定されている。
【００１２】
ところで、この鍵盤装置のアフタータッチ用の感圧センサ２１は、図３および図４に示すように、基材２２上に電極板２３を配置し、この電極板２３上にスペーサ２４を介してセンサシート２５を配置し、このセンサシート２５上にフェルト２６を配置した構成で、全体が帯状に形成されている。この場合、電極板２３は、一対の櫛歯状電極２３ａ、２３ｂを互いに接触しないように噛み合わせた構成になっている。これに対向するセンサシート２５の下面には、感圧層２５ａが設けられいる。スペーサ２４は、電極板２３とセンサシート２５とのギャップを規制するとともに、その上下面に粘着処理が施され、電極板２３とセンサシート２５とを接着している。フェルト２６は鍵２の下限ストッパの機能をも兼ねている。
【００１３】
この感圧センサ２１は、従来例と同様、鍵盤シャーシ１上に鍵２の配列方向に沿って配置され、通常の押鍵後、更に鍵２が押し込まれてフェルト２６を介してセンサシート２５が押圧されると、センサシート２５が撓み、その下面の感圧層２５ａが電極板２３の一対の電極２３ａ、２３ｂに跨って接触し、このときの接触面積と接触圧力の大きさに応じて一対の電極２３ａ、２３ｂ間の抵抗値が変化するように構成されている。なお、この抵抗値の変化は電圧変換され、これがＡ／Ｄ回路を経てＣＰＵに取り込まれる。これにより、ＣＰＵが楽音を変調する。
【００１４】
このような鍵盤装置では、従来例と同様、鍵２が押鍵されると、鍵２の後部の薄肉部２０をヒンジとして鍵２が下方に回動し、この鍵２の各スイッチ押圧部３によりゴムスイッチ４が弾性変形してスイッチ信号を出力し、これにより押鍵された鍵２に応じた音を発音する。この後、更に鍵２が押し込まれると、感圧センサ２１が押圧され、その押圧力に応じてセンサシート２５の感圧層２５ａが電極板２３の一対の電極２３ａ、２３ｂに接触し、このときの接触面積と接触圧力の大きさに応じて一対の電極２３ａ、２３ｂ間の抵抗値が変化し、この抵抗値の変化を電圧変換して発音中の音に各種の効果を付加し、音の表現力を高めることができる。この場合、感圧センサ２１は、センサシート２５上に設けられたフェルト２６が鍵２の下限ストッパの機能をも兼ねているので、図１２に示された従来例のような保護用の下限ストッパ１３が不要となり、部品点数の削減を図ることができる。
【００１５】
また、この鍵盤装置では、通常の押鍵力を越える過大な押鍵荷重で繰り返し押鍵しても、鍵２の薄肉部２０が、その前端Ｂから後端Ａに向けて一定の幅で、厚みが次第に薄くなるように形成されているので、従来例のように薄肉部２０に発生する応力により薄肉部２０が疲労破壊することはない。
すなわち、通常の押鍵では、鍵２が感圧センサ２１に当接するまでヒンジである薄肉部２０が屈曲領域Ｓ中で撓み、この撓んだ状態での薄肉部２０における最大曲げモーメントは薄肉部２０の後端Ａに生じ、最大曲げ応力σAも薄肉部６の後端Ａに生じるが、アフタータッチ機能を効かせるために、更に押鍵し続けると、ゴムスイッチ４や感圧センサ２１、および連結部７に反力が生じ、これら反力と押鍵力、そしてこれらのモーメントにより、薄肉部２０が持ち上げられ（図１５参照）、薄肉部２０の前端Ｂにも曲げ応力σが発生する。この薄肉部２０の前端Ｂの曲げ応力σは後端Ａの曲げ応力σAに比べて大きく、疲労破壊しやすいが、薄肉部２０の前端Ｂの肉厚が厚く形成されていることにより、繰り返しの疲労破壊を起こしにくい。
【００１６】
これは、薄肉部２０の前端Ｂの肉厚を厚くすることにより、応力の基本式における断面係数（Ｚ）が大きくなるからである。
この曲げ応力（σ）の一般的な基本式は、モーメントをＭとすると、
σ＝Ｍ／Ｚ
で表させる。断面係数Ｚは、薄肉部２０の幅をｂ、厚みをｈとすると、
Ｚ＝ｂ・ｈ2／６
であり、モーメントＭは、外力をＰとし、ある点（支点）から外力Ｐの作用点までの距離をＬとすると、
Ｍ＝Ｐ・Ｌ
であり、これらから
σ＝Ｍ／Ｚ＝（６・Ｐ・Ｌ）／（ｂ・ｈ2）
となる。この式では、Ｐは定数であり、Ｌ、ｂ、ｈは変数である。これら変数の中でＬ、ｂは１次的にしか影響せず、ｈは２乗で影響している。よって、薄肉部２０の厚みｈを厚くすることで、曲げ応力σを効率よく減少させることができる。
【００１７】
一方、薄肉部２０における撓み（δ）と荷重（ｗ）との関係は、梁の種類による撓み係数をβ、縦弾性係数（ヤング率）をＥ、断面二次モーメントをＩとすると、
δ＝（β・ｗ・Ｌ3）／（Ｅ・Ｉ）
となり、断面二次モーメントＩは
Ｉ＝ｂ・ｈ3／１２
であるから、
ｗ＝｛（δ・Ｅ・ｂ）／（１２・β・Ｌ3）｝・ｈ3
となる。このため、荷重ｗは、撓みδを一定にした場合、厚みｈの３乗に比例して増加することになる。
【００１８】
従って、従来例で説明したように、曲げ応力を下げるために単に厚みを均一に厚くすると、図６の直線Ｔ２、つまり図１７（ｂ）に示された薄肉部６の反力ＨＰの直線のように、薄肉部６を撓ませる荷重（ヒンジ荷重）が大きくなるが、この実施形態のように、薄肉部２０を前端Ｂから後端Ａに向けて一定の幅で、厚みが次第に薄くなるように形成することにより、薄肉部２０の前端Ｂで曲げモーメントが最大となり、薄肉部２０の後端Ａに向かって曲げモーメントが次第に小さくなり、薄肉部２０の厚みｈが小さい程、図６に示す直線Ｔ３のようにヒンジ荷重が小さくてすみ、図６に示す直線Ｔ１、つまり図１７（ａ）に示された薄肉部６の反力ＨＰの直線に近づけることができる。
【００１９】
このように、この鍵盤装置では、薄肉部２０における曲げモーメントの分布が薄肉部２０の前端Ｂから後端Ａに向かって次第に小さくなり、図５に示すように、薄肉部２０の前端Ｂで疲労破壊しない曲げ応力（σc）を確保し、かつ曲げモーメントの分布を考慮して、薄肉部２０の前端Ｂから後端Ａに向かって曲げ応力（σc＝Ｍ／Ｚ）が一定になるように薄肉部２０の厚みｈを連続的に小さくすることにより、薄肉部２０の各部において一定の曲げ応力（σc）が確保でき、これにより薄肉部２０の破壊強度を高めることができる。しかも、薄肉部２０の撓みとヒンジ荷重との関係から、薄肉部２０の厚みｈが小さいほどヒンジ荷重が小さくてすむので、従来のように薄肉部６の肉厚を均一に厚くした場合に比べてヒンジ荷重が下がり、疲労破壊しない曲げ応力（σc）とヒンジ荷重とのバランスをとることで、薄肉部２０の破壊強度を高めると同時に、指先への反力を理想的な状態に近づけて演奏し易くすることができる。
【００２０】
なお、上記実施形態では、薄肉部２０をその前端Ｂから後端Ａに向けて一定の幅で厚みが次第に薄くなるように形成したが、これに限らず、例えば、図７に示す第１変形例のように、薄肉部３０をその中間部Ｃから後端Ａに向けて一定の幅で厚みが次第に薄くなるように形成し、この薄肉部３０の屈曲領域Ｓ１を中間部Ｃから後端Ａにおける上面と半径Ｒ３の肉付けとの接点までの範囲に設定しても良い。この場合には、厚みが薄くなり始める中間部Ｃに曲げ応力が集中し、この中間部Ｃが疲労破壊しやすくなる。そこで、薄肉部３０の前端Ｂの曲げ応力とヒンジ荷重、および応力集中も併せて考慮し、薄肉部３０の前端Ｂから中間部Ｃまでの上面を前端Ｂと中間部Ｃとに接する曲率半径Ｒの大きな円弧状に形成すれば良い。なお、この場合にも、薄肉部３０の前端Ｂにおける上下の角部に応力が集中しないように半径Ｒ１、Ｒ２の肉付けが施され、薄肉部３０の後端Ａにおける上側の角部にも、半径Ｒ３の肉付けが施されている。このように薄肉部３０を形成しても、上記実施形態と同様の作用効果を有する。
【００２１】
また、上記実施形態では、薄肉部２０をその前端Ｂから後端Ａに向けて一定の幅で厚みが次第に薄くなるように形成したが、これに限らず、例えば、図８〜図１１にそれぞれ示すように薄肉部を形成しても良い。
すなわち、図８（ａ）および図８（ｂ）に示された第２変形例のように、薄肉部３１をその前端Ｂから後端Ａに向けて一定の厚みｈで幅ｂが次第に狭くなるように形成しても良く、また図９（ａ）および図９（ｂ）に示された第３変形例のように、薄肉部３２をその前端Ｂから後端Ａに向けて厚みｈと幅ｂの両者が次第に小さくなるように形成しても良い。このようにしても、上記実施形態と同様の作用効果を有する。
【００２２】
さらに、図１０（ａ）〜図１０（ｃ）に示された第４変形例のように、薄肉部３３をその前端Ｂから後端Ａに向けて厚みｈと幅ｂの両者が次第に小さくなるように形成するとともに、薄肉部３３の断面を前端Ｂから後端Ａに向かって台形状から長方形状になるように形成しても良い。このようにしても、上記実施形態と同様の作用効果を有する。
また、図１１（ａ）〜図１１（ｃ）に示された第５変形例のように、薄肉部３４の断面を均一な幅の凹状に形成し、この凹状の底部の厚みｈを均一に形成した上、その両側辺の凸部３４ａの厚みを薄肉部３４の前端Ｂから後端Ａに向けて次第に薄くなるように形成しても良い。このようにしても、上記実施形態とほぼ同様の作用効果があることは言うまでもない。
このように、鍵２の薄肉部は、その前端Ｂから後端Ａに向かって断面積が次第に小さくなるような形状であれば、上記実施形態およびその各変形例のような形状である必要はなく、円形状、楕円形状など、どのような形状であっても良い。
【００２３】
【発明の効果】
以上説明したように、この発明によれば、前部に押鍵時に押圧操作される押圧部と、後部に前記押圧部を支持する支持部と、前記押圧部と前記支持部との間に薄板片状の薄肉部とを設け、押鍵時に前記薄肉部が撓むことによって前記支持部に対して前記押圧部を、押圧操作される方向に回動可能にした鍵盤装置において、薄肉部を鍵の前側から後側に向けて幅を次第に狭くすることで断面積が次第に小さくなるように形成したので、薄肉部における曲げモーメントの分布が薄肉部の前端から後端に向かって次第に小さくなる。このため、例えば、薄肉部の前端で疲労破壊しない曲げ応力（σc）を確保し、かつ曲げモーメントの分布を考慮して、薄肉部の前端から後端に向かって曲げ応力（σc）が一定になるように薄肉部の断面積を連続的に小さくすることにより、薄肉部の各部において一定の曲げ応力（σc）が確保でき、これにより薄肉部の破壊強度を高めることができる。また、薄肉部の撓みとヒンジ荷重との関係から、断面積が小さいほどヒンジ荷重が小さくてすむので、従来のように薄肉部の肉厚を均一に厚くした場合に比べてヒンジ荷重が下がり、疲労破壊しない曲げ応力（σc）とヒンジ荷重とのバランスをとることで、薄肉部の破壊強度を高めると同時に、指先への反力を理想的な状態に近づけて演奏し易くすることができる。
【図面の簡単な説明】
【図１】この発明の鍵盤装置の一実施形態における鍵の後部を示した拡大断面図。
【図２】図１の平面図。
【図３】図１の鍵を備えた鍵盤装置に組み込まれたアフタータッチ用の感圧センサの一部破断した拡大斜視図。
【図４】図３の拡大断面図。
【図５】図１の薄肉部の曲げ疲労曲線を示した図。
【図６】図１の薄肉部と従来の薄肉部とを比較するための鍵ストロークに対するヒンジ荷重を示した図。
【図７】この発明の鍵盤装置の鍵の薄肉部の第１変形例を示した拡大断面図。
【図８】この発明の鍵盤装置の鍵の薄肉部の第２変形例を示し、（ａ）はその拡大側面図、（ｂ）はその平面図。
【図９】この発明の鍵盤装置の鍵の薄肉部の第３変形例を示し、（ａ）はその拡大側面図、（ｂ）はその平面図。
【図１０】この発明の鍵盤装置の鍵の薄肉部の第４変形例を示し、（ａ）はその拡大側面図、（ｂ）はその平面図、（ｃ）は（ｂ）におけるＸ１−Ｘ１およびＸ２−Ｘ２の各断面図。
【図１１】この発明の鍵盤装置の鍵の薄肉部の第５変形例を示し、（ａ）はその拡大側面図、（ｂ）はその平面図、（ｃ）は（ｂ）におけるＹ１−Ｙ１およびＹ２−Ｙ２の各断面図。
【図１２】鍵盤装置の一例を示した断面図。
【図１３】図１２の鍵を押鍵した状態を示した概略図。
【図１４】図１２において従来の鍵の通常押鍵時における薄肉部の変形状態を示した拡大断面図。
【図１５】図１２において従来の鍵の通常押鍵後に、更に鍵を押し込んだ状態における薄肉部の変形状態を示した拡大断面図。
【図１６】図１４の従来の鍵の薄肉部の肉厚を均一に厚くした場合を示した図。
【図１７】図１２の鍵に作用する反力の位置を示した図。
【図１８】鍵ストロークに対する鍵反力の関係を示し、（ａ）はその理想的な場合を示した図、（ｂ）は鍵の薄肉部の肉厚を均一に厚くした場合を示した図。
【符号の説明】
２  鍵
７  連結部
２０、３０〜３５  薄肉部
２１  感圧センサ
Ａ  薄肉部の後端
Ｂ  薄肉部の前端
ｈ  薄肉部の厚み
ｂ  薄肉部の幅
【図１】
0003787641.tif 000002
【図２】
0003787641.tif 000003
【図３】
0003787641.tif 000004
【図４】
0003787641.tif 000005
【図５】
0003787641.tif 000006
【図６】
0003787641.tif 000007
【図７】
0003787641.tif 000008
【図８】
0003787641.tif 000009
【図９】
0003787641.tif 000010
【図１０】
0003787641.tif 000011
【図１１】
0003787641.tif 000012
【図１２】
0003787641.tif 000013
【図１３】
0003787641.tif 000014
【図１４】
0003787641.tif 000015
【図１５】
0003787641.tif 000016
【図１６】
0003787641.tif 000017
【図１７】
0003787641.tif 000018
【図１８】
0003787641.tif 000019